(57)【特許請求の範囲】
【請求項１】
不揮発性メモリを含むメモリ、及びリモコンとの信号の授受を行う受発光部が接続されたＣＰＵと、
運転の異常検出時にその異常内容やその発生日時等に関する情報を記憶する異常情報記憶手段と、
コンプレッサ保護のための再起動防止タイマと、を備えた制御部と、
複数の表示器からなる表示部と、
店頭でのデモモード運転のための強制運転ボタンと、
店頭でのデモンストレーション内容をデモモード運転内容として設定する店頭デモ設定手段と、
この店頭デモ設定手段の設定内容を記憶する不揮発性メモリ手段と、
強制運転ボタンがオンで、そのオン状態が所定時間継続している間にリモコンからの操作信号が受信された場合、不揮発性メモリにデモモードオンを記憶し、リモコンからの操作信号が受信されなかった場合は、デモモードオン状態を解除する手段と、
電源オフ後の再通電時に再起動防止タイマをオンにし、メモリにデモモードオンの記憶があって、電源投入時から再起動防止タイマのカウントアップまでの間にリモコンからの信号も無く、以後の、室外機への通信の結果、室外機が接続されていない場合に、前記不揮発性メモリ手段に記憶されたデモモード運転内容に従ってオートデモ運転を開始するデモモード運転手段と、
メモリにデモモードオンの記憶がないか、または再起動防止タイマのカウントアップまでの間にリモコンからの信号があるか、
室外機が接続されていることを判定した場合は、メモリのデモモードオンの記憶内容及び異常情報をクリアし再度デモモードが設定されるまでデモモードは行われない解除手段と
を備えたことを特徴とする空気調和機。
【発明の詳細な説明】
【０００１】
【発明の属する技術分野】
本発明は、空気調和機に関し、特に室内機を用いて行う店頭でのデモンストレーション・モード（以下、「デモモード」という）運転のための手段を備えた空気調和機に関する。
【０００２】
【従来の技術】
従来、空気調和機の室内機を用いて、店頭でデモモード運転を行う場合、電源を入れる度に予め定められた特殊なボタン操作、例えば本体の操作ボタンを押しながら、特定のコード信号を受信したときにデモモード設定のための設定モードに入るようにしていた。
【０００３】
【発明が解決しようとする課題】
しかしながら、この方式では、電源をオフにするとデモモード設定がクリアされてしまい、次回電源投入時には、再度、改めて特殊なボタン操作のもとにデモモード設定作業をしなければならないという不都合があった。
【０００４】
本発明は上記事情を考慮してなされたもので、一度デモモードを設定することにより、意識的に解除しない限り、次回電源投入時に再設定しなくてもデモモード運転を開始させることができる空気調和機を提供することを目的とする。
【０００５】
【課題を解決するための手段】
上記目的を達成するために、請求項１に係る発明の空気調和機は、
不揮発性メモリを含むメモリ、及びリモコンとの信号の授受を行う受発光部が接続されたＣＰＵと、
運転の異常検出時にその異常内容やその発生日時等に関する情報を記憶する異常情報記憶手段と、
コンプレッサ保護のための再起動防止タイマと、を備えた制御部と、
複数の表示器からなる表示部と、
店頭でのデモモード運転のための強制運転ボタンと、
店頭でのデモンストレーション内容をデモモード運転内容として設定する店頭デモ設定手段と、
この店頭デモ設定手段の設定内容を記憶する不揮発性メモリ手段と、
強制運転ボタンがオンで、そのオン状態が所定時間継続している間にリモコンからの操作信号が受信された場合、不揮発性メモリにデモモードオンを記憶し、リモコンからの操作信号が受信されなかった場合は、デモモードオン状態を解除する手段と、
電源オフ後の再通電時に再起動防止タイマをオンにし、メモリにデモモードオンの記憶があって、電源投入時から再起動防止タイマのカウントアップまでの間にリモコンからの信号も無く、以後の、室外機への通信の結果、室外機が接続されていない場合に、前記不揮発性メモリ手段に記憶されたデモモード運転内容に従ってオートデモ運転を開始するデモモード運転手段と、
メモリにデモモードオンの記憶がないか、または再起動防止タイマのカウントアップまでの間にリモコンからの信号があるか、
室外機が接続されていることを判定した場合は、メモリのデモモードオンの記憶内容及び異常情報をクリアし再度デモモードが設定されるまでデモモードは行われない解除手段と
を備えたことを特徴とする
ものとして構成される。
【０００６】
【発明の実施の形態】
図１は本発明による空気調和機の制御系を中心とするブロック図である。周知のごとく空気調和機は室内機１０と室外機３０とからなっている。室外機３０に含まれるコンプレッサや室外熱交換器、さらには室内機１０に含まれる室内熱交換器等により冷凍サイクルが構成され、室内温度や室内湿度が所定値となるように制御される。この室内温度及び室内湿度を制御する狭義の空調機能を司る装置部分を空調部１１と表現している。ここには室内空気の温度制御ために温度センサが、また湿度制御のために湿度センサが設けられているが、図示は省略している。さらに最近の空気調和機は多機能化の傾向にあり、空調部１１のほかに、例えば室内空気の集じんを行う集じん機１２や、室内空気にマイナスイオンを含ませるためのマイナスイオン発生器１３等を備えたものが多くなってきている。集じん機１２及びマイナスイオン発生器１３にはそれぞれの実際値検出のためにガスセンサやイオンセンサを備えている。
【０００７】
室内機１０は制御の中枢機能部としてＣＰＵ１４を備えている。ＣＰＵ１４には不揮発性メモリ、例えばＥＥＰＲＯＭ（再書込み可能なＰＲＯＭ）を含むメモリ１５、表示部１６、及び受発光部１７が接続されている。空調部１１、集じん機１２及びマイナスイオン発生器１３はそれぞれＣＰＵ１４によりドライバ１８，１９，２０を介して制御される。受発光部１７はリモコン２１との光信号の授受を行う。デモモード運転においては、表示部１６に、後述のオートデモ運転か空清デモ運転かに従ってデモモード表示が行われる。
【０００８】
次に店頭デモンストレーション表示（デモ表示）の態様例を図２を参照して説明する。図２（ａ）〜（ｇ）はそれぞれ室内機１０の表示部１６を示すものであって、図２（ｇ）を参照して、この表示部の構成を説明すれば、上段５個の表示器４０は室内空気の汚損度（清浄度の逆）を表し、多く点灯するほど空気がより多く汚れていることを示す。下段７個（両端を含む）の表示器４１は室内空気に含まれるマイナスイオン量を示し、多く点灯するほどマイナスイオン量が多いことを示す。表示器４１の右側に運転表示ランプ４２が、また左側にタイマ作動ランプ４３が配設され、さらにその左側にリモコンとの間で光信号の授受を行う受発光部４４及び図示していないガスセンサのための通気孔４５が設けられている。図２（ａ）は室内空気の汚れが所定の上限値以上にひどく、５個の表示器が全部点灯し、またマイナスイオン発生量も最低に近い量であって、ただ１個の表示器しか点灯していなことを示している。図（ａ）から（ｂ）、（ｃ）、（ｄ）と移行するにつれて、室内空気の汚損度が次第に低下していき（つまり、室内空気が次第に浄化されていき）、マイナスイオン発生量も次第に増大していき、図（ｅ）では室内空気の汚れが所定の下限値以下に低下して、ただ１個の表示器しか点灯せず、マイナスイオン発生量も所定値以上に増大して７個の表示器が全部点灯していることを示している。図（ｆ），（ｇ）は、表示の一態様として、表示器５１，５２の全てを点灯した状態、及び逆に表示器５１，５２の全てを消灯した状態を示したものである。
【０００９】
店頭デモ表示運転の態様として、オートデモ運転と空清デモ運転を設定するものとする。オートデモ運転は、ガスセンサを用いたりすることなく、単に表示部１６のみをデモ表示するものであって、例えば、図（ａ）から（ｂ）、（ｃ）、（ｄ）、（ｅ）、（ｆ）、（ｇ）、（ｆ）、（ｇ）、（ｆ）、（ｇ）、（ｇ）に至る過程を１サイクルとして、また（ａ）に戻って繰返す。このサイクリックな点灯表示を、各状態を、０．２秒点灯、０．４秒点灯、０．６秒点灯で繰返す。ただし、上記１サイクルの最後の（ｇ）、（ｇ）間は０．２秒で固定する。空清デモ運転は、ガスセンサ及びイオンセンサを用いて室内空気の実際の汚れ度及びマイナスイオン量を検出し、その検出値に従って表示器４０，４１の点灯制御を行うものである。
【００１０】
本発明に係る空気調和機の店頭デモモード運転の制御機能はＣＰＵ１４を中心として実行される。以下、表示部１６の表示態様に先立ってＣＰＵ１４によって実行される表示のための制御機能を、図３〜５に示すフローチャートを参照して説明する。
【００１１】
図３はオートデモモードの設定手段について説明するものである。店頭デモンストレーションのためのオートデモ運転及び空清デモ運転のプログラムは予め室内機に内蔵されている。店頭でのデモモード運転のためにリモコン２１に仮に設定される強制運転ボタンをオンにする（ステップ１０１）。強制運転ボタンは、例えば、特定ボタンの操作に特定の時間的要素を組合わせるか、複数のボタンの同時操作等によって実現することができる。
【００１２】
このオン状態で１０秒以内にリモコン２１から空清単独運転信号を受信すると、不揮発性メモリ（ＥＥＰＲＯＭ）にデモモードオンを記憶する（ステップ１０２，１０３，１０４）。ステップ１０２で１０秒経過してもリモコン２１から空清単独運転信号を受信しなかった場合は、ボタンオン状態を解除する（ステップ１０５）。なお、デモモードオンとすることにより、内蔵された店頭デモモードプログラムが実効可能とされ、デモモードオフ（又は解除）とすることにより、内蔵された店頭デモモードプログラムは実効不能とされる。かくして、電源を切った後の電源再投入の際でも、その都度店頭で設定をやり直す手間を省き、効率的な販売促進活動を行うことができる。
【００１３】
ステップ１０４の後、図４に示すように、上述のオートデモ運転が開始される（ステップ１１１）。この時、表示部１６は図２（ａ）〜（ｇ）のパターンに従って表示器４１，４２がサイクリックに点灯制御される。この後、リモコン２１から空清単独運転オフの信号（停止信号）を受信したら、オートデモ運転を停止し（ステップ１１２，１１３）、表示部１６は図２（ｇ）に示すように全消灯状態となる。この後、リモコン２１から再度、空清単独運転信号を受信すると、今度は空清デモ運転を開始し（ステップ１１４，１１５）、ガスセンサ及びイオンセンサによって検出された、室内空気の実際の汚れ度及びマイナスイオン量に従って表示器４０，４１の点灯制御を行う。
【００１４】
この状態で強制運転ボタンが押されると、オートデモモードは解除される（ステップ１１６，１２７）。強制運転ボタンが押されない状態のもとで、リモコン２１から空清単独運転オフの信号を受信すると、空清デモ運転を停止する（ステップ１１７，１１８）。この後、再びリモコン２１から空清単独運転信号を受信するとステップ１１１へ戻り、ステップ１１２以下を繰返す。
【００１５】
電源投入時のデモモード有無の判断は次のようにして行う。すなわち、図５に示すように、電源投入により、再起動防止タイマ（本来は、図示していないコンプレッサ保護のために、例えば数分程度に設定されるタイマ）をオンにする（ステップ１２１，１２２）。メモリ１５にデモモードオンの記憶があって、電源投入時から再起動防止タイマのカウントアップまでの間にリモコン２１からなんの運転信号も無く、以後の、室外機３０への通信の結果、室外機３０が接続されていない場合に限って、オートデモ運転を開始する（ステップ１２３，１２４，１２５，１２６，１１１）。ステップ１２３において「Ｎｏ」、又はステップ１２４，１２６及び前述のステップ１１６において「Ｙｅｓ」の場合は、オートデモモードを解除し（ステップ１２７）、メモリ１５のデモモードオンの記憶内容及び異常情報をクリアし（ステップ１２８）、この後、ステップ１０１〜１０４で述べたようにしてデモモードが設定されるまでデモモードは行われない。ここで異常情報をクリアする理由について若干の説明をする。一般的に空気調和機では、運転時に何らかの異常事態が生じた時、保守サービス等のために異常内容やその発生日時等に関する情報を記憶するようにしている。しかし、店頭デモ運転といった通常運転とは異なる特殊な態様で運転した時の異常情報は、ユーザーに引渡されたような場合はかえって不都合になりうるので、これをクリアしておく訳である。
【００１６】
図６は、本発明の他の実施形態を示すものである。この実施形態は、電源オフとした時、デモモード設定が直ちにはクリアされないようにしたものである。電源を投入した時（ステップ１３１）、前回デモモードの記憶が残っていなかったら、それは通常運転に備えたものと判断し、デモモード運転を行うことなく、通常制御モードに入る（ステップ１３２，１３３）。前回デモモードの記憶がそのまま残っている場合は、室内機１０と室外機３０との接続判定が終了しているか否かを判定し（ステップ１３４）、接続判定が終了していればデモ運転をスタートさせる（ステップ）。しかし、接続判定前であれば、例えばユーザーへの据付けが既に終了している等、通常運転の体勢にあるものと判断して通常運転指令があったら前回デモモード設定をクリアし（ステップ１３６，１３７）、改めて前回デモモードが設定されているか否かを判定する（ステップ１３８）。ステップ１３６において通常運転指令が無い場合は直接ステップ１３８に進む。ステップ１３８での判定の結果、「Ｎｏ」の場合はステップ１３２に戻る。「Ｙｅｓ」の場合は、室外機が接続判定を行い（ステップ１３９）、判定の結果（ステップ１４０）、「判定中」の場合はステップ１３２に戻る。「終了」している場合は室外機接続判定終了フラグをセットし（１４１）、室外機接続済みか否かを判定する（１４２）。「接続」なら前回デモモードをクリア（ステップ１４３）してステップ１３２へ戻り、「未接続」なら直接ステップ１３２へ戻る。
【００１７】
以上により、一度デモモードを設定すれば、次回電源投入時も自動的にデモモード運転を開始することができ、かつ、設定されたまま据付けられた場合は自動的にデモモードを解除し、ユーザーは安心して通常の空気調和機運転をすることができる。
【００１８】
【発明の効果】
本発明によれば、店頭展示用にデモモード運転を一度設定すれば、デモを解除しない限り、次回電源投入時も自動的にデモを開始し、かつデモモードが設定されたままユーザーの所に据付けられた場合でも、それを自動的に解除することができる。
【図面の簡単な説明】
【図１】  本発明による空気調和機の制御系を示すブロック図。
【図２】  表示部に含まれる表示器の配置構成と表示パターン例を示す図。
【図３】  本発明に従って実行されるデモモード設定の一実施形態を示すフローチャート。
【図４】  本発明に従って実行される店頭デモ運転の一実施形態を示すフローチャート。
【図５】  図３，４のフローチャートに関連して実行される手順の一実施形態を示すフローチャート。
【図６】  本発明の他の実施形態を示すフローチャート。
【符号の説明】
１０  室内機
１１  空調部
１２  集じん機
１３  マイナスイオン発生器
１４  ＣＰＵ
１５  メモリ
１６  表示部
１７  受発光部
２１  リモコン
３０  室外機
４０  室内空気汚損度表示用表示器
４１  室内空気イオン量表示用表示器
４４  受発光部
【図１】
0004422879.tif 000002
【図２】
0004422879.tif 000003
【図３】
0004422879.tif 000004
【図４】
0004422879.tif 000005
【図５】
0004422879.tif 000006
【図６】
0004422879.tif 000007